(57)【要約】【課題】  オンエア時の視聴者の操作による画面遷移を、再生時に再度操作しなくても再現することができるデータ放送番組記録再生装置を得る。【解決手段】  受信したデータ放送番組の番組データを記録媒体に記録するとともに、記録されたデータ放送番組の番組データを再生するＤ−ＶＨＳ記録再生部１２、ＤＴＶリモコン信号を受信するＤＴＶリモコン信号受信部１３、受信したＤＴＶリモコン信号を受信時刻と共に記録するＤＴＶリモコン信号記録部１４、リモコン信号を発信するＤＴＶリモコン信号発信部１５、視聴者による操作を受け付ける操作入力部１７、操作入力に基づき、記録操作時は、データ放送番組のデータを記録媒体に記録させると同時にＤＴＶリモコン信号の受信情報を記録させ、再生操作時は、記録されたデータ放送番組の番組データを再生すると同時にＤＴＶリモコン信号の記録情報に基づきＤＴＶリモコン信号を発信するよう制御する制御部１６とを備える。【選択図】  図１
2006042211.tif 000002
【特許請求の範囲】
【請求項１】
デジタルデータ放送番組を受像するデジタルテレビとデータバスを介して接続されて前記デジタルデータ放送番組を記録及び再生するデータ放送番組記録再生装置であって、
前記デジタルテレビとの間で前記デジタルデータ放送番組の番組データを前記データバスを介して送受信するデータインタフェース部と、
前記データインタフェース部で受信された前記番組データを記録媒体に記録するとともに、前記記録媒体に記録された前記番組データを読み出して前記データインタフェース部に供給する記録媒体記録再生部と、
前記デジタルテレビに対して外部から送信される操作要求に応じた操作信号を受信可能な操作信号受信部と、
前記操作信号受信部で受信される前記操作信号について、この操作信号に含まれる１つ以上の操作要求コマンドを各受信時の時刻情報と共に順次記録する操作信号記録部と、
前記操作信号記録部に記録された前記１つ以上の操作要求コマンドを読み出して、前記デジタルテレビに対して送信する操作信号発信部と、
前記番組データの記録又は再生の操作要求を受け付ける操作入力部と、
前記操作入力部に入力された操作要求が、前記番組データの記録の操作要求であった場合は、前記データインタフェース部で受信された前記番組データを前記記録媒体に記録させると同時に、前記操作信号受信部で受信している前記１つ以上の操作要求コマンドを前記各受信時の時刻情報と共に前記操作信号記録部に順次記録させる一方、
前記操作入力部に入力された操作要求が、前記番組データの再生の操作要求であった場合は、前記記録媒体に記録されている前記番組データを読み出して前記データインタフェース部に供給させると同時に、前記操作信号記録部に記録されている前記１つ以上の操作要求コマンドを、前記１つ以上の操作要求コマンドに対応した前記各受信時の時刻情報に基づいて、前記操作信号発信部から操作信号として送信させるように制御する制御部とを、
備えた構成のデータ放送番組記録再生装置。
【発明の詳細な説明】
【技術分野】
【０００１】
本発明は、デジタルテレビ放送におけるデータ放送番組を記録再生するデータ放送番組記録再生装置に関する。
【背景技術】
【０００２】
現在のデジタルテレビ放送のデータ放送番組は、視聴者がリモコン操作を行うことで、画面遷移などを行うことが可能であり、視聴者が希望する画面（情報）を選択的に見ることできるようになっている。
【０００３】
また、Ｄ−ＶＨＳデッキなどによりデータ放送番組をデジタル記録することが可能であり、記録したデータ放送番組を再生させれば、データ放送番組がオンエアされていたときと同じように、視聴者がリモコン操作を行うことで画面遷移などを行うことができる。
【０００４】
しかし、オンエア時にデータ放送番組を記録し、記録したデータ放送番組を再生する際に、視聴者がオンエア時にリモコン操作により行っていた画面遷移などを再現させるには、オンエア時と同じように再度リモコン操作を行わなければならないのが実情である。
【０００５】
一方、データ放送番組を記録するとともに、データ放送番組のデータを解析し、記録したデータ放送番組を再生した際、視聴者が容易に所望の画面に遷移できる発明が知られている（例えば、下記の特許文献１参照）。
【０００６】
しかしながら、特許文献１では、記録したデータ放送番組の再生時に、所望の画面を見るにはリモコン操作が必要であり、また、オンエア時に表示した画面を視聴者が忘れてしまった場合、オンエア時に表示された画面へ画面遷移させるのは困難なのが実情である。
【特許文献１】特開２００１−２５７９８９号公報
【発明の開示】
【発明が解決しようとする課題】
【０００７】
前述したように、従来の技術では、オンエア時の視聴者のリモコン操作による画面遷移を、再生時に再現させるためには、オンエア時と同じように、視聴者が再度リモコン操作をしなければならないという課題があった。
【０００８】
本発明は、上記課題に鑑みてなされたもので、オンエア時の視聴者の操作による画面遷移を、再生時に再度操作しなくても再現することができるデータ放送番組記録再生装置を得ることを目的とする。
【課題を解決するための手段】
【０００９】
上記目的を達成するために本発明に係るデータ放送番組記録再生装置は、デジタルデータ放送番組を受像するデジタルテレビとデータバスを介して接続されて前記デジタルデータ放送番組を記録及び再生するデータ放送番組記録再生装置であって、
前記デジタルテレビとの間で前記デジタルデータ放送番組の番組データを前記データバスを介して送受信するデータインタフェース部と、
前記データインタフェース部で受信された前記番組データを記録媒体に記録するとともに、前記記録媒体に記録された前記番組データを読み出して前記データインタフェース部に供給する記録媒体記録再生部と、
前記デジタルテレビに対して外部から送信される操作要求に応じた操作信号を受信可能な操作信号受信部と、
前記操作信号受信部で受信される前記操作信号について、この操作信号に含まれる１つ以上の操作要求コマンドを各受信時の時刻情報と共に順次記録する操作信号記録部と、
前記操作信号記録部に記録された前記１つ以上の操作要求コマンドを読み出して、前記デジタルテレビに対して送信する操作信号発信部と、
前記番組データの記録又は再生の操作要求を受け付ける操作入力部と、
前記操作入力部に入力された操作要求が、前記番組データの記録の操作要求であった場合は、前記データインタフェース部で受信された前記番組データを前記記録媒体に記録させると同時に、前記操作信号受信部で受信している前記１つ以上の操作要求コマンドを前記各受信時の時刻情報と共に前記操作信号記録部に順次記録させる一方、
前記操作入力部に入力された操作要求が、前記番組データの再生の操作要求であった場合は、前記記録媒体に記録されている前記番組データを読み出して前記データインタフェース部に供給させると同時に、前記操作信号記録部に記録されている前記１つ以上の操作要求コマンドを、前記１つ以上の操作要求コマンドに対応した前記各受信時の時刻情報に基づいて、前記操作信号発信部から操作信号として送信させるように制御する制御部とを備えたものである。
【発明の効果】
【００１０】
本発明によれば、データ放送番組を記録する際に、データ放送番組の番組データを記録媒体に記録させると同時に操作信号記録部に操作信号と受信時刻を記録させ、再生時に、記録されたデータ放送番組の番組データを再生してデータインタフェース部を介してデジタルテレビに送信すると同時に操作信号記録部に記録された情報に基づきデジタルテレビに対する操作信号を発信するようにしたことで、オンエア時の視聴者の操作による画面遷移を、再生時に再操作することなく再現することができ、手軽に再生視聴を行える。
【発明を実施するための最良の形態】
【００１１】
以下、図面を参照しながら、本発明の実施の形態について説明する。
本実施の形態では、本発明をＤ−ＶＨＳデッキに適用した場合について説明する。
【００１２】
図１は、本発明の実施の形態に係るデータ放送番組記録再生装置の構成を示すブロック図であり、データ放送番組記録再生装置としてＤ−ＶＨＳデッキに適用した一構成例を示すブロック図である。
【００１３】
本発明を適用したＤ−ＶＨＳデッキ２３は、ＩＥＥＥ１３９４バスを介してデータの送受信を行うＩＥＥＥ１３９４Ｉ／Ｆ部（インタフェース部）１１と、ＩＥＥＥ１３９４Ｉ／Ｆ部１１を介した送受信データの記録再生を行うＤ−ＶＨＳ記録再生部１２と、視聴者による操作信号として後述するＤＴＶ（ＤＴＶ：デジタルテレビ）リモコン２４から発信されるＤＴＶリモコン信号を受信するＤＴＶリモコン信号受信部１３と、ＤＴＶリモコン信号受信部１３で受信したリモコン信号を受信時刻と共に記録するＤＴＶリモコン信号記録部１４と、ＤＴＶリモコン信号を発信するＤＴＶリモコン信号発信部１５と、操作入力部１７で入力された操作に基づき、Ｄ−ＶＨＳ記録再生部１２、ＤＴＶリモコン信号記録部１４、ＤＴＶリモコン信号発信部１５を制御する制御部１６と、視聴者により操作可能なボタンなどで構成され、視聴者による本発明を適用したＤ−ＶＨＳデッキ２３への操作を受け付ける操作入力部１７とを備えている。
【００１４】
次に、本発明を適用したＤ−ＶＨＳデッキ２３の視聴者による使用例を説明する。
図２は、本発明を適用したＤ−ＶＨＳデッキ２３の接続例である。
図２に示すように、デジタル放送アンテナ２１は、データ放送番組を受信し、受信した信号をＤＴＶ２２に送信する。ＤＴＶ２２は、データ放送番組を不図示のテレビ画面に表示する。また、ＤＴＶ２２では、ＤＴＶリモコン２４からの視聴者の操作によるリモコン信号を受信し、データ放送番組中のデータにより規定されている動作（画面遷移など）が行われる。
【００１５】
本発明を適用したＤ−ＶＨＳデッキ２３は、ＤＴＶ２２とＩＥＥＥ１３９４バスを介して接続され、ＤＴＶ２２で受信したデータ放送番組の番組データを受信することができる。また、本発明を適用したＤ−ＶＨＳデッキ２３のＤＴＶリモコン信号発信部１５から発信されるＤＴＶリモコン信号は、ＤＴＶ２２で受信可能なように、ＤＴＶ２２とＤ−ＶＨＳデッキ２３の位置が設定されている。ＤＴＶリモコン２４は、ＤＴＶ用のリモコン信号を発信する。また、発信したリモコン信号がＤＴＶ２２及び本発明を適用したＤ−ＶＨＳデッキ２３で受信可能な位置で視聴者により操作されている。
【００１６】
次に、上述した図２の接続例において、データ放送番組をＤ−ＶＨＳデッキ２３で記録しつつ、視聴者がＤＴＶリモコン２４を用いてＤＴＶ２２とＤ−ＶＨＳデッキ２３とをリモコン操作し、その後、記録したＤ−ＶＨＳコンテンツを再生し、データ放送番組を視聴するまでの流れを、図３に示したフローチャートと共に説明する。
【００１７】
データ放送番組の開始と同時に、本発明を適用したＤ−ＶＨＳデッキ２３の操作入力部１７で記録開始の操作が視聴者により行われる。記録開始の操作入力は、制御部１６に送信される。その後、制御部１６は、記録開始の操作入力に基づき、Ｄ−ＶＨＳ記録再生部１２においてデータ放送番組の番組データの記録が開始されるように制御する。また同時に、制御部１６は、ＤＴＶリモコン信号記録部１４にリモコン信号の記録が開始されるように制御する（ステップＳ１）。
【００１８】
次に、データ放送番組のオンエア中に、ＤＴＶリモコン２４を用いた視聴者によるリモコン操作によりデータ放送番組の画面遷移を行う（ステップＳ２）。
このＤＴＶリモコン２４を用いたリモコン操作と画面遷移の一例を、図４を参照して詳細に説明する。まず、画面４１は、データ放送番組開始時に自動的に表示される画面であり、横浜ＢＳイニング別ハイライトシーンが表示される。そして、この画面４１において、カーソルは「１回」にフォーカスされている（ステップＳ２．１）。この状態で、視聴者がＤＴＶリモコン２４（各キーは不図示）の「右カーソル」キーを押すと、フォーカスが「２回」に移動し、その後、ＤＴＶリモコン２４の「決定」キーを押すと、画面４２に遷移する（ステップＳ２．２）。画面４２の左上の動画表示領域には、動画（例えば、山田選手の先制ホームランシーン）が表示される。
【００１９】
視聴者がこの動画を見た後、ＤＴＶリモコン２４の「戻る」キーを押すと、画面４１に遷移する（ステップＳ２．３）。画面４１で、視聴者がＤＴＶリモコン２４の「下カーソル」キーを押すと、フォーカスが「４回」に移動し、その後、ＤＴＶリモコン２４の「決定」キーを押すと、画面４３に遷移する（ステップＳ２．４）。画面４３の左上の動画表示領域には、動画（例えば、田中選手の３塁盗塁シーン）が表示される。
【００２０】
視聴者のＤＴＶ２２に対するＤＴＶリモコン操作信号は、本発明を適用したＤ−ＶＨＳデッキ２３のＤＴＶリモコン信号受信部１３でも受信され、データ放送番組のデータ記録が開始されたときからの受信時刻と共にＤＴＶリモコン信号記録部１４に記録される。
【００２１】
図５は、ＤＴＶリモコン信号記録部１４に記録されるリモコンコードとその受信時刻の情報を示す図である。図４に示す例に従えば、「右カーソル」キーとその受信時刻「００：００：１０」、「決定」キーとその受信時刻「００：００：１２」、「戻る」キーとその受信時刻「００：００：５０」、「下カーソル」キーとその受信時刻「００：００：５５」、「決定」キーとその受信時刻「００：００：５７」がＤＴＶリモコン信号記録部１４に順次記録される。
【００２２】
上述の操作を行い、データ放送番組を見終わった後、本発明を適用したＤ−ＶＨＳデッキ２３の操作入力部１７で記録終了の操作が視聴者により行われる。この記録終了の操作は制御部１６に送信される。制御部１６は、Ｄ−ＶＨＳ記録再生部１２においてデータ放送番組の番組データの記録が終了されるように制御する。また同時に、制御部１６は、ＤＴＶリモコン信号記録部１４においてリモコン信号の記録が終了されるように制御する（ステップＳ３）。
【００２３】
データ放送番組の番組データが記録されたＤ−ＶＨＳテープを巻き戻した後、本発明を適用したＤ−ＶＨＳデッキ２３の操作入力部１７で再生の操作が視聴者により行われる。再生の操作は、制御部１６に送信される。制御部１６は、Ｄ−ＶＨＳ記録再生部１２においてデータ放送番組の番組データの再生が開始されるように制御する。Ｄ−ＶＨＳ記録再生部１２で再生されたデータ放送番組の番組データは、ＩＥＥＥ１３９４Ｉ／Ｆ部１１を介してＤＴＶ２２に送信される。また同時に、制御部１６は、ＤＴＶリモコン信号記録部１４に記録されている情報に基づき、ＤＴＶリモコン信号発信部１５よりＤＴＶリモコン信号を発信するよう制御する。ＤＴＶリモコン信号発信部１５より発信されたリモコン信号はＤＴＶ２２で受信され、オンエア時と同じ画面遷移（図４）が再現される（ステップＳ４）。
【００２４】
以上説明したように、本実施の形態によれば、データ放送番組を記録する際に、データ放送番組の番組データをＤ−ＶＨＳ記録再生部１２に記録し、これと同時にデータ放送番組に対するリモコンコード情報と受信時刻をＤＴＶリモコン信号記録部１４に記録するようにして、再生時に、Ｄ−ＶＨＳ記録再生部１２で再生されたデータ放送番組の番組データを送信すると同時に、ＤＴＶリモコン信号記録部１４に記録されている情報に基づきＤＴＶリモコン信号を発信するようにしたので、オンエア時の視聴者のリモコン操作による画面遷移を、再生時に再度リモコン操作しなくても再現することができる。
【００２５】
なお、上述した本実施の形態では、データ放送番組のデータと共にＤＴＶリモコン２４を用いたリモコン信号を同時記録し、オンエア時の視聴者のリモコン操作による画面遷移を、再生時に再度リモコン操作しなくても再現するようにしたが、リモコン信号以外の操作信号や制御信号の同時記録であっても本発明を適用できるのはもちろんである。
【図面の簡単な説明】
【００２６】
【図１】本発明の実施の形態に係るデータ放送番組記録再生装置の構成を示すブロック図であり、データ放送番組記録再生装置としてＤ−ＶＨＳデッキに適用した一構成例を示すブロック図である。
【図２】図１に示す構成を備えるＤ−ＶＨＳデッキの接続例を示す図である。
【図３】図２の接続例において、データ放送番組をＤ−ＶＨＳデッキで記録しつつ、視聴者がＤＴＶリモコンを用いてＤＴＶとＤ−ＶＨＳデッキとをリモコン操作し、その後、記録したＤ−ＶＨＳコンテンツを再生し、データ放送番組を視聴するまでの流れを説明するフローチャートである。
【図４】図２の接続例において、ＤＴＶリモコンを用いたリモコン操作と画面遷移の一例を示す説明図である。
【図５】図１のＤＴＶリモコン信号記録部で記録されるデータフォーマットの例を示す説明図である。
【符号の説明】
【００２７】
１１  ＩＥＥＥ１３９４Ｉ／Ｆ部（インタフェース部）
１２  Ｄ−ＶＨＳ記録再生部（記録媒体記録再生部）
１３  ＤＴＶリモコン信号受信部（操作信号受信部）
１４  ＤＴＶリモコン信号記録部（操作信号記録部）
１５  ＤＴＶリモコン信号発信部（操作信号発信部）
１６  制御部
１７  操作入力部
２１  デジタル放送アンテナ
２２  デジタルテレビ（ＤＴＶ）
２３  Ｄ−ＶＨＳデッキ
２４  ＤＴＶリモコン
４１、４２、４３  画面
【図１】
2006042211.tif 000003
【図２】
2006042211.tif 000004
【図３】
2006042211.tif 000005
【図４】
2006042211.tif 000006
【図５】
2006042211.tif 000007